(57)【要約】【課題】紙等の被転写物の縁部に添った真っ直ぐな転写および縁部から離れた位置での真っ直ぐな転写を可能とし、さらにケース本体２０持って移動させる方向が限定されない構成の転写具１００を得る。【解決手段】ケース本体２０の底部２０ｂに、ガイド棒５０ａと当該ガイド棒５０ａの端部５０ｂに立設したガイド部５０ｃとを有するガイド体５０を、ガイド棒５０ａが転写テープ４０の送出方向に対して直交する方向へ摺動するようケース本体２０に形成した係合部２１へ係合させる。【選択図】図１
2016101732.tif 000002
【特許請求の範囲】
【請求項１】
ケース本体の前方に該ケース本体の内部に収容した転写テープを折り返す転写ヘッドを設け、前記転写ヘッドを介して前記転写テープの基材上の転写物を被転写物へ転写する転写具であって、前記ケース本体の底部に、ガイド棒と当該ガイド棒の端部に立設したガイド部とを有するガイド体を、前記ガイド棒が前記転写テープの送出方向に対して直交する方向へ摺動するよう前記ケース本体に形成した係合部へ係合させたことを特徴とする転写具。
【請求項２】
前記ガイド体における前記ガイド棒の両端部にガイド部を設けたことを特徴とする請求項１に記載の転写具。
【請求項３】
前記ガイド体のガイド棒が可撓性を有したことを特徴とする請求項１または２に記載の転写具。
【請求項４】
前記ガイド棒を前記ケース体の底部に、前記ケース本体の底部を下にして机上等に置いた際に、前記ケース本体が前記ガイド体を支点に傾いて当該ケース本体の一部が前記机上等に接すると共に前記転写ヘッド側が上方を向く位置に係合させたことを特徴とする請求項１ないし３のいずれか１項に記載の転写具。
【発明の詳細な説明】
【技術分野】
【０００１】
本発明は、ケース本体の前方に配した転写ヘッドを介して転写テープの基材上の転写物を被転写面へ転写する転写具に関する。
【背景技術】
【０００２】
従来より、転写テープの基材に塗着した糊等の粘着剤や修正剤あるいは着色剤等の転写物を紙等の転写対象物に転写するための転写具はよく知られている。
【０００３】
前記転写具では、転写テープの基材上にある粘着剤や修正剤あるいは着色剤等の転写物を紙面等に直線状に転写する機会が多く、そのため手間が掛かるが、転写ヘッドを定規に添わせて直線状に転写する場合もある。特に、転写物を粘着剤としたテープ糊では、封筒など紙の縁部に添って真っ直ぐに転写できるものが求められており、例えば先行文献１では、転写具にガイド機能を設け、紙等の被転写物の縁部に添って直線状に転写できる構造の転写具が提案されている。
【０００４】
前記先行文献１の転写具は、転写具のケース本体にガイドとして鉤形片を付設しており、鉤形片に紙等の縁部を接触させながら、転写ヘッドを被転写面に接触させてケース本体を移動させることにより、被転写面に塗膜を、被転写物の縁部に添って真っ直ぐな状態で転写できるものである。
【０００５】
しかしながら、前記先行文献１に記載されている転写具は、紙等の被転写物の縁部に添って真っ直ぐな転写はできるものの、ケース本体に対するガイドの位置が固定されていることから、紙等の被転写物の縁部から離れた位置に対して真っ直ぐな転写を行うことはできなかった。またケース本体に対するガイドの向き（鉤形片の向き）が固定されていることから、紙等の被転写部の縁部に対して転写具を移動して転写する方向が限定されてしまい、転写方向が操作し難い方向になってしまったり、操作し難い方の手で持たなくてはならない場合が生じてしまう構造であった。
【先行技術文献】
【特許文献】
【０００６】
【特許文献１】特開２００８−１０５１９４号公報
【発明の概要】
【発明が解決しようとする課題】
【０００７】
本発明では、紙等の被転写物の縁部に添った真っ直ぐな転写および縁部から離れた位置における真っ直ぐな転写を可能とし、さらにケース本体を持って移動させる方向が限定されない構成の転写具を得ることを目的とした。
【課題を解決するための手段】
【０００８】
本発明は、
「１．ケース本体の前方に該ケース本体の内部に収容した転写テープを折り返す転写ヘッドを設け、前記転写ヘッドを介して前記転写テープの基材上の転写物を被転写物へ転写する転写具であって、前記ケース本体の底部に、ガイド棒と当該ガイド棒の端部に立設したガイド部とを有するガイド体を、前記ガイド棒が前記転写テープの送出方向に対して直交する方向へ摺動するよう前記ケース本体に形成した係合部へ係合させたことを特徴とする転写具。 
２．前記ガイド体における前記ガイド棒の両端部にガイド部を設けたことを特徴とする１項に記載の転写具。 
３．前記ガイド体のガイド棒が可撓性を有したことを特徴とする前記２項に記載の転写具。
４．前記ガイド棒を前記ケース体の底部に、前記ケース本体の底部を下にして机上等に置いた際に前記ケース本体が前記ガイド体を支点に傾いて当該ケース本体の一部が前記机上等に接すると共に前記転写ヘッド側が上方を向く位置に係合させたことを特徴とする前記１項ないし３項のいずれか１項に記載の転写具。」である。
【０００９】
本発明のガイド体を形成する材料に限定はないが、成形性の面で樹脂材を用いることが好ましい。また、ガイド棒とガイド部とは一体でも別体でもよいが、ガイド棒とガイド部とを一体で形成する場合には、紙等の被転写物の縁部とそれに接触させるガイド部との摩擦が大きくならないように、柔らかいゴム等ではなく、ＡＢＳ、ポリエチレン、ポリプロピレン、ナイロン等の樹脂材を用いることが好ましく、さらにガイド棒に可撓性を付与することが容易となる。
尚、ガイド体を金属の薄板で成形することにより、ガイド棒に可撓性を付与することも可能である。
【００１０】
ケース本体の底部とガイド体のガイド棒との係合は、ケース本体の底部側に溝部や貫通孔等を係合部として形成し、前記係合部にガイド体のガイド棒を挿着させることで、ケース本体の底部に対してガイド棒を摺動可能な係合状態にすることができる。
尚、ガイド体のガイド棒の長さに限定はなく、紙等の被転写物における縁部から転写を行いたい箇所までの距離に応じて設定すればよく、その距離はガイド棒の長さの範囲で広げることと狭めることが可能なものとなる。
【００１１】
本発明のガイド棒の端部に設けるガイド部は、ケース本体の底部より下方へ突出させ、ガイド部の内面が紙等の被転写物の縁部に接することにより当該縁部から転写ヘッドまでの位置を決めることができ、ガイド部の先端側をケース本体側へ向かって鉤形に折り曲げることにより、折曲部にて紙等の被転写物の縁部近傍を挟んで安定した位置決めを行うことが可能なものとなる。
ガイド棒の一端部のみにガイド部を設ける場合には、ガイド棒がケース本体の係合部に対して着脱可能に係合させることで、使用状況に応じてケース本体に対するガイド体のガイド部の位置を変更させることができるものとなる。
ガイド棒の両端部にガイド部を設ける場合には、一方のガイド部により紙等の被転写物の縁部に接触させている状態で、他方のガイド部が紙等の被転写面に当接する場合があることから、ガイド棒が撓むことで他方のガイド部が転写操作の妨げにならない構成にすることが好ましい。
【００１２】
ガイド棒をケース体の底部に、ケース本体の底部を下にして机上等に置いた際に、ケース本体がガイド体のガイド部を支点に傾いて当該ケース本体の後部が机上等に接すると共に転写ヘッド側が上方を向く位置に係合させることで、机上に転写具を立てた状態で置いておくことが可能となり、転写ヘッドが机上に触れない状態で維持されることから、転写テープの汚れを防止することができる。
【発明の効果】
【００１３】
本発明の転写具は、紙等の被転写物の縁部に添った真っ直ぐな転写および縁部から離れた位置における真っ直ぐな転写を可能とし、さらにケース本体を持って移動させる方向が限定されないものとなった。
【図面の簡単な説明】
【００１４】
【図１】本発明の第１の実施の形態における転写具の斜視図である。
【図２】図１の転写具のガイド体を外した状態を示す斜視図である。
【図３】図１の転写具で転写を行っている状態を示す斜視図である。
【図４】図１の転写具で転写を行っている他の状態を示す斜視図である。
【図５】図３の反対方向から転写を行っている状態を示す斜視図である。
【図６】図１の転写具を机上に置いた状態を示す側面図である。
【図７】図１の転写具を机上に置いた状態を示す正面図である。
【図８】本発明の第２の実施の形態における転写具の斜視図である。
【図９】図８の転写具のガイド体を摺動させた状態を示す斜視図である。
【図１０】図８の転写具で転写を行っている状態を示す斜視図である。
【図１１】図８の転写具で転写を行っている他の状態を示す斜視図である。
【図１２】図１０の反対方向から転写を行っている状態を示す斜視図である。
【図１３】図８の転写具を机上に置いた状態を示す側面図である。
【図１４】図８の転写具を机上に置いた状態を示す正面図である。
【発明を実施するための形態】
【００１５】
以下に、添付の図面を参照して本発明の第１の実施の形態を説明する。尚、説明を分かり易くするために、転写ヘッドがある側を前方と表現し、その反対側を後方と表現する。またケース本体は、実際には巾方向の中央で分割される構成になっているが、図面では分割線を省略する。また本実施例の転写テープは、基材上に転写物として粘着剤を塗着したものを使用したが、転写テープに限定はなく、例えば修正剤や着色剤を転写物として基材上に塗着した転写テープを使用することもできる。
【００１６】
図１は、本発明の第１の実施の形態における転写具１００の斜視図である。図１に示すように転写具１００は、ケース本体２０の前方に転写ヘッド３０を備え、ケース本体２０の前方の開口部２０ａの下方から該ケース本体２０の内部に収容した転写テープ４０を送出し、転写テープ４０を転写ヘッド３０にて折返した上で、開口部２０ａの上方からケース本体２０の内部に転写テープ４０を送入させる構造である。
図示しないが、本実施例の転写テープ４０は基材上に粘着剤（図示せず）を塗着したものであり、転写ヘッド３０を介して被転写物である紙に粘着剤を転写することで、紙と紙とを貼り合わせることができるものである。
【００１７】
また、ケース本体２０の底部２０ｂには係合溝２１を形成してあり、前記係合溝２１にはガイド体５０を係合させてある。ガイド体５０は、係合溝２１に係合させるガイド棒５０ａと当該ガイド棒５０ａの一端部５０ｂに下方へ向かって立設したガイド部５０ｃとを有し、前記ガイド部５０ｃの先端側には、ケース本体２０側へ向かって鉤形に折り曲げた折曲部５０ｄを形成してある。
ケース本体２０の係合溝２１は、上面２１ａと両側に形成した二つの突部２１ｂ，２１ｃとで前記ガイド体５０のガイド棒５０ａを挟持しており、ガイド棒５０ａが転写テープ４０の送出および装入方向（図中Ｘ方向）に対して直交する方向（図中Ｙ方向）へ摺動できるよう係合溝２１に係合してある。
【００１８】
図２は、転写具１００のガイド体５０を外した状態を示す斜視図である。本実施例の転写具１００は、図１に示した状態のガイド体５０を矢印Ｙ１方向へ引き抜き、ケース本体２０からガイド体５０を取り外して、図２に示すように、ガイド棒５０ａの他端部５０ｅを矢印Ｙ２方向から挿通して係合させることができ、ケース体２０に対してガイド体５０のガイド部５０ｃを適宜配置させることができる。
【００１９】
図３は、転写具１００で転写を行っている状態を示す斜視図である。図３では、ガイド体５０のガイド棒５０ａを係合溝２１に摺動させてガイド部５０ｃをケース本体２０の側面に近接させ、ガイド部５０ｃを封筒６０のフタ６０ａの縁部６０ｂに当接させた状態にして、転写具１００のケース本体２０を右手で持ち矢印Ｘ１方向へ移動させることにより、縁部６０ｂに添った真っ直ぐな粘着剤層４０ａを封筒６０のフタ６０に左から右へ向かって転写することができた。
【００２０】
図４は、転写具１００で転写を行っている他の状態を示す斜視図である。図４では、ガイド体５０のガイド棒５０ａを係合溝２１に摺動させてガイド部５０ｃをケース本体２０の側面から少し離間させ、ガイド部５０ｃを封筒６０のフタ６０ａの縁部６０ｂに当接させた状態にして、転写具１００のケース本体２０を右手で持って矢印Ｘ１方向へ移動させることにより、封筒６０の裏面６０ｃに真っ直ぐな粘着剤層４０ａを左から右へ向かって転写することができた。
【００２１】
図５は、図３の反対方向から転写を行っている状態を示す斜視図である。図５では、ガイド体５０のガイド棒５０ａを係合溝２１に摺動させてガイド部５０ｃをケース本体２０の側面に近接させ、ガイド部５０ｃを封筒６０のフタ６０ａの縁部６０ｂに当接させた状態にして、転写具１００のケース本体２０を左手で持ち矢印Ｘ２方向へ移動させることで、縁部６０ｂに添った真っ直ぐな粘着剤層４０ａを封筒６０のフタ６０ａに右から左へ向かって転写することができた。
【００２２】
図６は、転写具１００を机上７０に置いた状態を示す側面図で、図７は、転写具１００を机上７０に置いた状態を示す正面図である。図に示すように本実施例の転写具１００は、ケース本体２０の底部２０ｂを下に向けて机上７０へ置いた際に、ケース本体２０が、底部２０ｂより下方に突出したガイド体５０のガイド部５０ｃを支点に傾き、ケース本体２０の中央の膨出部２０ｃが机上７０に接して、転写ヘッド３０側が上方を向いて机上７０に触れないように、ガイド体５０を係合させる係合溝２１をケース本体２０の前方に形成してある。
【００２３】
図８は、本発明の第２の実施の形態における転写具２００の斜視図である。図８に示すように転写具２００は、ケース本体２０の前方に転写ヘッド３０を備え、ケース本体２０の前方の開口部２０ａの下方から該ケース本体２０の内部に収容した転写テープ４０を送出し、転写テープ４０を転写ヘッド３０にて折返した上で、開口部２０ａの上方からケース本体２０の内部に転写テープ４０を送入させる構造である。
尚、図示しないが、転写テープ４０は基材上に粘着剤（図示せず）を塗着したものであり、転写ヘッド３０を介して被転写物である紙に粘着剤を転写することで、紙と紙とを貼り合わせることができるものである。
【００２４】
また、ケース本体２０の底部２０ｂには係合溝２１を形成してあり、前記係合溝２１にはガイド体５１を係合させてある。ガイド体５１は、係合溝２１に係合させるガイド棒５１ａと当該ガイド棒５１ａの一端部５１ｂおよび他端部５１ｅに下方へ向かって立設したガイド部５１１ｃ，５１２ｃとを有し、前記ガイド部５１１ｃ，５１２ｃのそれぞれの先端側には、ケース本体２０側へ向かって鉤形に折り曲げた折曲部５１１ｄ，５１２ｄを形成してある。
ケース本体２０の係合溝２１は、上面２１ａと両側に形成した二つの突部２１ｂ，２１ｃとで前記ガイド体５１のガイド棒５１ａを挟持しており、ガイド棒５１ａが転写テープ４０の送出および送入方向（図中Ｘ方向）に対して直交する方向（図中Ｙ方向）へ摺動できるよう係合溝２１に係合してある。
【００２５】
図９は、図８の転写具２００のガイド体５１を摺動させた状態を示す斜視図である。本実施例の転写具２００は、図９に示したように、ケース本体２０の係合溝２１に対してガイド体５１を矢印Ｙ１，Ｙ２の方向へ摺動させることができる。
【００２６】
図１０は、転写具２００で転写を行っている状態を示す斜視図である。図１０では、ガイド体５１のガイド棒５１ａを係合溝２１に摺動させてガイド部５１１ｃをケース本体２０の側面に近接させ、ガイド部５１１ｃを封筒６０のフタ６０ａの縁部６０ｂに当接させた状態にして、転写具２００のケース本体２０を右手で持ち矢印Ｘ１方向へ移動させることにより、縁部６０ｂに添った真っ直ぐな粘着剤層４０ａを封筒６０のフタ６０に左から右へ向かって転写することができた。
また、本実施例のガイド体５１はＡＢＳ樹脂で成形してあり、可撓性を有することから、封筒６０を机上に置いて転写を行った場合でも、図１０に示すように、封筒６０のフタ６０ａの縁部６０ｂとは反対側のガイド部５１２ｃが封筒６０の裏面６０ｃに当接して、ガイド棒５１ａが上方へ撓むことで、転写操作の妨げになることはなかった。
【００２７】
図１１は、転写具２００で転写を行っている他の状態を示す斜視図である。図１１では、ガイド体５１のガイド棒５１ａを係合溝２１に摺動させてガイド部５１１ｃをケース本体２０の側面から少し離間させ、ガイド部５１１ｃを封筒６０のフタ６０ａの縁部６０ｂに当接させた状態にして、転写具２００のケース本体２０を右手で持って矢印Ｘ１方向へ移動させることにより、封筒６０の裏面６０ｃに真っ直ぐな粘着剤層４０ａを左から右へ向かって転写することができた。
【００２８】
図１２は、図８の反対方向から転写を行っている状態を示す斜視図である。図１２では、ガイド体５１のガイド棒５１ａを係合溝２１に摺動させてガイド部５１２ｃをケース本体２０の側面に近接させ、ガイド部５１２ｃを封筒６０のフタ６０ａの縁部６０ｂに当接させた状態にして、転写具２００のケース本体２０を左手で持ち矢印Ｘ２方向へ移動させることで、縁部６０ｂに添った真っ直ぐな粘着剤層４０ａを封筒６０のフタ６０ａに右から左へ向かって転写することができた。
【００２９】
図１３は、転写具２００を机上７０に置いた状態を示す側面図で、図７は、転写具２００を机上に置いた状態を示す正面図である。図に示すように本実施例の転写具１００は、ケース本体２０の底部２０ｂを下に向けて机上７０へ置いた際に、ケース本体２０が、底部２０ｂより下方に突出したガイド体５１のガイド部５１１ｃ，５１２ｃを支点に傾き、ケース本体２０の中央の膨出部２０ｃが机上７０に接して、転写ヘッド３０側が上方を向いて机上７０に触れないように、ガイド体５１を係合させる係合溝２１をケース本体２０の前方に形成してある。
【符号の説明】
【００３０】
１００，２００…転写具、
２０…ケース本体、２０ａ…開口部、２０ｂ…底部、
２１…係合溝、２１ａ…上面、２１ｂ，２１ｃ…二つの突部、
３０…転写ヘッド、
４０…転写テープ、４０ａ…粘着剤層、
５０，５１…ガイド体、
５０ａ，５１ａ…ガイド棒、
５０ｂ，５１ｂ…一端部、
５０ｃ，５１１ｃ，５１２ｃ…ガイド部、５０ｄ，５１１ｄ，５１２ｄ…折曲部、
６０…封筒、６０ａ…フタ、６０ｂ…縁部、６０ｃ…裏面、
７０…机上。
【図１】
2016101732.tif 000003
【図２】
2016101732.tif 000004
【図３】
2016101732.tif 000005
【図４】
2016101732.tif 000006
【図５】
2016101732.tif 000007
【図６】
2016101732.tif 000008
【図７】
2016101732.tif 000009
【図８】
2016101732.tif 000010
【図９】
2016101732.tif 000011
【図１０】
2016101732.tif 000012
【図１１】
2016101732.tif 000013
【図１２】
2016101732.tif 000014
【図１３】
2016101732.tif 000015
【図１４】
2016101732.tif 000016